(57)【特許請求の範囲】
【請求項１】
複数頁が一頁に集約されている原稿の画像を読み取る読取手段と、
該画像を集約前の頁単位に分割する分割手段と、
指示入力手段と、
表示手段と、
該指示入力手段による周辺部のサイズの設定を含む設定画面を、該表示手段に表示させる表示制御手段と、
該分割手段で得た各頁画像から、該周辺部を除いた画像を主画像として抽出する抽出手段と、
該抽出手段で抽出された各主画像を再集約して、再集約画像を生成する再集約手段と、
該再集約画像を用紙に形成する画像形成手段と、
を備え、該表示制御手段は、該原稿の画像の集約レイアウトの指定部と、選択された該集約レイアウトの表示部と、該分割手段で分割された頁の４辺のそれぞれからの除去幅を該周辺部のサイズとして設定する周辺部除去幅指定部と、該分割された頁及びこの頁内の該主画像の領域を表示する表示部とを含む第１領域と、該再集約画像の再集約レイアウトの指定部と、指定された該再集約レイアウトの表示部とを含む第２領域とを１画面内に、該設定画面として表示させる、
ことを特徴とする画像形成装置。
【発明の詳細な説明】
【技術分野】
【０００１】
本発明は、集約コピー機能を備える画像形成装置及び画像形成システムに係り、特に、集約コピーされた原稿を分割再集約コピーする画像形成装置及び画像形成システムに関する。
【背景技術】
【０００２】
従来、複写機等の画像形成装置は、原稿台に載置されるなどした複数頁ある原稿の各画像を頁画像として読み取り、各頁画像を縮小し１頁の用紙に集約してコピーする、所謂集約コピー機能を備えたものが普及している。
【０００３】
このような集約コピー機能を備える画像形成装置に係り、下記特許文献１では、集約コピー機能により複数頁が一頁に集約された原稿の集約数及びレイアウトを指定し、且つ、分割再集約コピーする原稿の集約数及びレイアウトを指定した後に、集約コピーされた原稿の画像を読み取り、例えば図１０に示すように、その原稿画像を頁単位で分割し、異なる集約数又は異なるレイアウトで用紙に集約コピーする、所謂分割再集約コピー機能が開示されている。
【特許文献１】特開平１０−３２２５４２
【発明の開示】
【発明が解決しようとする課題】
【０００４】
しかしながら、上記特許文献１の発明では、分割再集約コピーする原稿（以下、出力原稿という）について指定される集約数が、その入力元となる集約コピーされた原稿（以下、入力原稿という）の集約数よりも多い場合、分割再集約コピーの際、図９（ａ）に示すように、入力原稿内に集約されている各頁画像がさらに縮小されるので、出力原稿の画像の視認性は悪化する。
【０００５】
また、図９（ａ）及び図１０に示すように、集約コピーされた入力原稿の周辺部には、その集約コピーの際に形成されたノイズ画像５が含まれる場合があり、入力原稿をそのまま分割再集約コピーすると、出力原稿にはノイズ画像５も形成されてしまう。
【０００６】
本発明の目的は、上記問題点に鑑み、分割再集約コピーした出力原稿の画像品質を向上させることが可能な画像形成装置又は画像形成システムを提供することにある。
【課題を解決するための手段】
【０００７】
本発明による画像形成装置の第１態様では、
複数頁が一頁に集約されている原稿の画像を読み取る読取手段と、
該画像を集約前の頁単位に分割する分割手段と、
該分割手段で得た各頁画像から、その周辺部を除いた画像を主画像として抽出する抽出手段と、
該抽出手段で抽出された各主画像を再集約して、再集約画像を生成する再集約手段と、
該再集約画像を用紙に形成する画像形成手段と、
を備えることを特徴とする。
【０００８】
本発明による画像形成装置の第２態様では、
該再集約手段は、１頁に再集約される頁数である集約頁数が該原稿の集約頁数よりも多い場合、該再集約画像を生成する前に、各主画像を、該頁画像をそのまま縮小するより大きな縮小率で縮小する縮小手段を備える、
ことを特徴とする。
【０００９】
本発明による画像形成装置の第３態様では、
該再集約手段は、１頁に再集約される頁数である集約頁数が該原稿の集約頁数よりも多い場合、該再集約画像を生成した後に、該頁画像をそのまま含んだ再集約画像を縮小するよりも、大きな縮小率で縮小する縮小手段を備える、
ことを特徴とする。
【００１０】
本発明による画像形成装置の第４態様では、
指示入力手段をさらに備え、
該抽出手段は、該指示入力手段により設定された該周辺部のサイズに従って、該主画像を抽出する、
ことを特徴とする。
【００１１】
本発明による画像形成装置の第５態様では、
表示手段と、
該周辺部のサイズの設定画面を、該表示手段に表示させる第１表示制御手段と、
を備えることを特徴とする。
【００１２】
本発明による画像形成装置の第６態様では、
該再集約画像のプレビュー画面を該表示手段に表示させる第２表示制御手段をさらに備え、
該画像形成手段は、該プレビュー画面が表示されているときに該指示入力手段により続行指示された場合に、該再集約画像を形成する、
ことを特徴とする請求項５に記載の画像形成装置。
【００１３】
本発明による画像形成システムの第７態様では、
上記のいずれか１つに記載の画像形成装置と、情報処理装置とが通信回線を介して結合された画像形成システムであって、
該情報処理装置は、指示入力手段と、該周辺部のサイズの設定画面を表示する表示手段と、を備え、
該抽出手段は、該設定画面に基づいて該指示入力手段により設定された該サイズに従って、該主画像を抽出する、
ことを特徴とする。
【００１４】
本発明による画像形成システムの第８態様では、
該画像形成装置は、該再集約画像が形成される前に、そのプレビュー画面を、該通信回線を介して該表示手段に表示させために、該プレビュー画面の表示用データを送信する送信手段をさらに備える、
ことを特徴とする。
【発明の効果】
【００１５】
上記第１態様の構成によれば、特に「該分割手段で得た各頁画像から、その周辺部を除いた画像を主画像として抽出する抽出手段と、該抽出手段で抽出された各主画像を再集約して、再集約画像を生成する再集約手段と」を備える。これにより、出力原稿には、図７に示すような主画像のみを含んだ再集約画像が形成され、図９（ａ）及び図１０に示すようなノイズ画像５は形成されなくなるので、出力原稿の画像品質を向上させることが可能であるという効果を奏する。
【００１６】
上記第２態様の構成によれば、「該再集約手段は、１頁に再集約される頁数である集約頁数が該原稿の集約頁数よりも多い場合、該再集約画像を生成する前に、各主画像を、該頁画像をそのまま縮小するより大きな縮小率で縮小する縮小手段」を備えるので、出力原稿に形成される各主画像の視認性が良くなり、もって出力原稿の画像品質を向上させることが可能であるという効果を奏する。
【００１７】
上記第３態様の構成によれば、「該再集約手段は、１頁に再集約される頁数である集約頁数が該原稿の集約頁数よりも多い場合、該再集約画像を生成した後に、該頁画像をそのまま含んだ再集約画像を縮小するよりも、大きな縮小率で縮小する縮小手段を備える」ので、上記第２態様と同様に、出力原稿に形成される各主画像の視認性が良くなり、もって出力原稿の画像品質を向上させることが可能であるという効果を奏する。
【００１８】
上記第４態様の構成によれば、「指示入力手段をさらに備え、該抽出手段は、該指示入力手段により設定された該周辺部のサイズに従って、該主画像を抽出する」ので、ユーザは入力原稿に応じて周辺部のサイズを指定でき、より詳細にノイズ画像５を取り除き、また、より大きな縮小率で主画像を縮小することができるという効果を奏する。
【００１９】
上記第５態様の構成によれば、「表示手段と、該周辺部のサイズの設定画面を、該表示手段に表示させる第１表示制御手段と」を備えるので、上記第４態様に比べユーザは設定画面に従って周辺部のサイズをより簡単に指定できるという効果を奏する。
【００２０】
上記第６態様の構成によれば、「該再集約画像のプレビュー画面を該表示手段に表示させる第２表示制御手段をさらに備え、該画像形成手段は、該プレビュー画面が表示されているときに該指示入力手段により続行指示された場合に、該再集約画像を形成する」ので、画像形成される前に一度、例えば視認性が良いか悪いか等の再集約画像の品質を確認し、品質が悪い場合には画像形成を中止できるという効果を奏する。
【００２１】
上記第６及び第７態様の構成によれば、上記設定画面やプレビュー画面を情報処理装置の表示装置に表示させることができるので、画像形成装置に表示手段が無い場合でも本発明を適用可能であるという効果を奏する。
【００２２】
本発明の他の目的、構成及び効果は以下の説明から明らかになる。
【実施例１】
【００２３】
図１は、本発明の実施例１に係わる画像形成装置１０のハードウェア構成を示す概略ブロック図である。
【００２４】
この画像形成装置１０には、ＭＰＵ１１にインタフェース１２を介してＥＥＰＲＯＭ１３Ｅ１、ＥＥＰＲＯＭ１３Ｅ２、ＤＲＡＭ１３Ｄ、ＨＤＤ１４、操作パネル１５、スキャナ１６Ｓ、プリンタ１６Ｐ、画像メモリ１７、圧縮・伸張ＡＳＩＣ１８が結合されている。図１では、簡単化のため、複数のインタフェースを一つのブロックで示している。
【００２５】
ＥＥＰＲＯＭ１３Ｅ１及び１３Ｅ２は、例えばフラッシュメモリである。ＥＥＰＲＯＭ１３Ｅ１には、ＢＩＯＳ（Basic Input Output System）が格納されている。ＥＥＰＲＯＭ１３Ｅ２には、オペレーティングシステム（ＯＳ）、ＯＳの上層で動作する各種プログラム及びＯＳの下層で動作する各種デバイスドライバ及び各種設定値が格納されている。ＤＲＡＭ１３Ｄはワークエリア用であり、ＨＤＤ１４はデータ格納用である。
【００２６】
操作パネル１５は、設定値又は指示を入力し、設定画面や状態などを表示させるためのものであり、図２に示すように、タッチパネル２０と、テンキー２１及びスタートキー２２を含むハードウェアキーと、の組み合わせで構成されている。タッチパネル２０上には、本発明に用いられる分割再集約コピー設定ボタン２３が表示されている。
【００２７】
スキャナ１６Ｓは、スキャン又はコピーでの画像入力に用いられる。プリンタ１６Ｐは、プリントエンジン、定着器並びに用紙の給紙部、搬送部及び排紙部を備え、画像メモリ１７に格納される画像データに基づいてプリントエンジンの感光体ドラムに静電潜像を形成し、これをトナーで現像し、用紙に転写し定着させた後に排紙する。
【００２８】
画像メモリ１７は、スキャナ１６Ｓで入力された入力画像を一時的に格納する。
【００２９】
圧縮・伸張ＡＳＩＣ１８は、ＭＰＵ１１のコプロセッサとして用いられる。
【００３０】
図３は、図２に示すタッチパネル２０に表示される分割再集約コピー設定画面３０を示す平面図である。
【００３１】
図２において分割再集約コピー設定ボタン２３が押下された場合、タッチパネル２０上には、図３に示すような分割再集約コピー設定画面３０が表示される。この画面３０には、コピーの際に後述の分割再集約コピーをするか否かのいずれかを指定可能な分割再集約コピー実行可否指定ボタン３１と、分割再集約コピーをする場合にその詳細を指定可能な入力原稿側情報指定部３２及び出力原稿側情報指定部３３と、初期化ボタン３４と、設定ボタン３５と、が表示される。
【００３２】
入力原稿側情報指定部３２では、分割再集約コピーの際にスキャナ１６Ｓで読み取り入力される入力原稿に係る各種情報を指定でき、例えば、入力原稿の集約数について指定する入力集約数情報指定部４０と、入力原稿のレイアウト、すなわち入力原稿内に集約されている頁画像の配置順序について指定する入力レイアウト情報指定部４１と、当該頁画像の周辺部の除去幅について指定する周辺部除去幅情報指定部４２と、が含まれる。
【００３３】
入力レイアウト情報指定部４１には、指定した入力レイアウトを視覚的に確認することができる入力レイアウト確認部４１ａが含まれる。この確認部４１ａに表示されている番号は、上記頁画像の頁番号を示している。
【００３４】
周辺部除去幅情報指定部４２は、本発明で新たに設けられたものであり、周辺部除去幅ａ、ｂ、ｃ及びｄが示す幅を視覚的に説明する周辺部除去幅説明部４２ａが含まれる。ここで、ａ〜ｄは正の値且つミリ単位で指定可能であり、ａ及びｃは縦方向２つの周辺部除去幅であり、ｂ及びｄは横方向２つの周辺部除去幅である。
【００３５】
一方、出力原稿側情報指定部３３では、分割再集約コピーの際にプリンタ１６Ｐから出力される出力原稿に係る各種情報を指定でき、例えば、出力原稿の集約数について指定する出力集約数情報指定部４３と、出力原稿のレイアウト、すなわち出力原稿内に集約される頁画像の配置順序について指定する出力レイアウト情報指定部４４と、が含まれる。
【００３６】
出力レイアウト情報指定部４４には、指定した出力レイアウトを視覚的に確認することができる出力レイアウト確認部４４ａが含まれる。この確認部４４ａに表示されている番号は、上記頁画像の頁番号を示している。
【００３７】
初期化ボタン３４は、上記各種指定部で指定した情報を初期化するためのものである。設定ボタン３５は、分割再集約コピー設定画面３０の上記各種指定部で指定した情報を確定するためのものであり、これが押下されると、当該指定された情報がＥＥＰＲＯＭ１３Ｅ２に格納される。
【００３８】
図４は、本実施例１で用いる入力原稿の説明図である。
【００３９】
２枚の入力原稿５０はそれぞれ、２つの頁画像５１が集約されている。これら各頁画像５１は、文字又は図形及び頁番号等を含む主部５２と、余白等の周辺部５３とを含んで構成される。なお、本実施例１では、周辺部５３には、集約コピーの際に形成された不必要なノイズ画像５が含まれ、周辺部５３のサイズは、周辺部除去幅情報指定部４２で指定され設定された除去幅と一致する。
【００４０】
図５は、本発明の実施例１に係わる画像形成装置１０の機能ブロックを示す図である。
【００４１】
画像形成装置１０は、本発明の実施例１に係わる機能部として、上述したＥＥＰＲＯＭ１３Ｅ２、操作パネル１５、スキャナ１６Ｓ及びプリンタ１６Ｐの他に、第１記憶部６０と、分割部６１と、第２記憶部６２と、抽出部６３と、変倍部６４と、再集約部６５と、第３記憶部６６と、表示制御部６７と、を備えている。
【００４２】
本機能部においてＥＥＰＲＯＭ１３Ｅ２には、図３に示す分割再集約コピー設定画面３０での設定作業により以下の情報が格納されている。
【００４３】
（１）分割再集約コピー実行可否指定ボタン３１で指定され設定されたものであり、例えばフラグＦ＝１（実行する）及びＦ＝０（実行しない）で表現される分割再集約コピー実行可否情報１００、
（２）入力集約数情報指定部４０で指定され設定された入力集約数情報１０１、
（３）入力レイアウト情報指定部４１で指定され設定された入力レイアウト情報１０２、
（４）周辺部除去幅情報指定部４２で指定され設定された除去幅情報１０３、
（５）出力集約数情報指定部４３で指定され設定された出力集約数情報１０４、
（６）出力レイアウト情報指定部４４で指定され設定された出力レイアウト情報１０５。
【００４４】
第１記憶部６０、第２記憶部６２及び第３記憶部６６は、それぞれ画像メモリ１７の一部の記憶領域を含んで構成され、入力原稿１５０に係る画像データが格納される。なお、これら記憶部は、画像メモリ１７を含んで構成されていなくともよく、それぞれ別個のメモリの一部記憶領域を含んで構成されてもよい。
【００４５】
分割部６１、抽出部６３、変倍部６４、再集約部６５及び表示制御部６７は、それぞれＭＰＵ１１とＤＲＡＭ１３Ｄと、ＥＥＰＲＯＭ１３Ｅ２内の対応する所定のプログラムを含んで構成される。
【００４６】
以下、図５を用いて、図２に示すコピー画面でスタートキー２２が押下された場合の各機能部の動作を説明する。括弧内は同図中のステップ識別符号である。
【００４７】
（Ｓ１）スキャナ１６Ｓは、図４に示す２枚の入力原稿５０を順次読み込んで、これらの各画像（以下、入力画像１１０という）を取得し、第１記憶部６０に格納させる。
【００４８】
（Ｓ２）分割部６１は、ＥＥＰＲＯＭ１３Ｅ２内の分割再集約コピー実行可否情報１００を参照する。当該情報１００がＦ＝１を示していれば次のステップに進み、Ｆ＝０を示していれば、プリンタ１６Ｐに通常のコピー処理の指示を与え、処理を終える。
【００４９】
（Ｓ３）分割部６１は、ＥＥＰＲＯＭ１３Ｅ２から、入力集約数情報１０１と出力集約数情報１０４とを読み出す。
【００５０】
（Ｓ４）分割部６１は、例えば入力集約数情報１０１の示す値が「２」で、出力集約数情報１０４の示す値が「４」である場合、２枚分の入力画像１１０をそれぞれ読み出し、これらを２分割し、４つの頁画像の画像（以下、頁画像１１１という）を取得する。
【００５１】
（Ｓ５）分割部６１は、取得した４つの頁画像１１１を第２記憶部６２に格納する。
【００５２】
（Ｓ６）分割部６１は、抽出部６３に対して、第２記憶部６２に格納された最初の頁画像１１１の先頭アドレスとともに、実行指示を与える。
【００５３】
（Ｓ７）抽出部６３は、分割部６１からの実行指示に応答して、ＥＥＰＲＯＭ１３Ｅ２の除去幅情報１０３を読み出す。
【００５４】
（Ｓ８）抽出部６３は、分割部６１からの先頭アドレスに基づき、第２記憶部６２から順次頁画像１１１を読出し、次に除去幅情報１０３に基づき、当該頁画像１１１から周辺部５３を除いた主部５２の画像のみを抽出し、これら画像（以下、主画像１１２という）を第２記憶部６２の別の記憶領域に格納する。
【００５５】
（Ｓ９）抽出部６３は、変倍部６４に対して、第２記憶部６２に格納された最初の主画像１１２の先頭アドレスとともに、実行指示を与える。
【００５６】
（Ｓ１０）変倍部６４は、抽出部６３からの実行指示に応答して、ＥＥＰＲＯＭ１３Ｅ２から入力集約数情報１０１と出力集約数情報１０４とを読み出す。
【００５７】
（Ｓ１１）変倍部６４は、抽出部６３からの先頭アドレスに基づき、第２記憶部６２から順次主画像１１２を読出し、入力集約数情報１０１及び出力集約数情報１０４に基づいて図９（ｂ）に示すように、主画像１１２を、入力原稿５０と同一サイズの出力原稿１５０において４分の１のサイズに縮小し、これら画像（以下、縮小主画像１１３という）を第２記憶部６２の別のアドレスに格納する。
【００５８】
このように縮小すると、図９（ａ）の場合よりも、周辺部５３の画像が入らない分だけ縮小率が大きくなるので、縮小主画像１１３に基づく形成画像の視認性は向上する。
【００５９】
（Ｓ１２）変倍部６４は、再集約部６５に対して、第２記憶部６２に格納された最初の縮小主画像１１３の先頭アドレスとともに、実行指示を与える。
【００６０】
（Ｓ１３）再集約部６５は、変倍部６４からの実行指示に応答して、ＥＥＰＲＯＭ１３Ｅ２内の出力集約数情報１０４と出力レイアウト情報１０５を読み出す。
【００６１】
（Ｓ１４）再集約部６５は、変倍部６４からの先頭アドレスに基づき、第２記憶部６２から順次縮小主画像１１３を読出し、出力集約数情報１０４及び出力レイアウト情報１０５に基づき、各縮小主画像１１３をレイアウトして１つの再集約画像１１４を生成し、これを第３記憶部６６に格納する。なお、再集約部６５は、レイアウトする際に、各縮小主画像１１３を適宜回転する。
【００６２】
（Ｓ１５）再集約部６５は、表示制御部６７に対して、第３記憶部６６に格納された、再集約画像１１４の先頭アドレスとともに、実行指示を与える。
【００６３】
（Ｓ１６）表示制御部６７は、再集約部６５からの実行指示に応答して、与えられた先頭アドレスから再集約画像１１４を読出し、そのプレビュー画像データを生成し、再集約画像のプレビュー画面を操作パネル１５内のタッチパネル２０に表示させる。
【００６４】
図６は、図２に示すタッチパネル２０上に表示されるプレビュー画面を示す平面図である。
【００６５】
このプレビュー画面２００は、再集約画像１１４に基づくプレビュー画像２０１と、キャンセルボタン２０２と、ＯＫボタン２０３とを有する。
【００６６】
（Ｓ１７）表示制御部６７は、プレビュー画面２００でＯＫボタン２０３が押下された場合、これに応答し、プリンタ１６Ｐに対して、第３記憶部６６に格納された再集約画像１１４の先頭アドレスとともに、実行指示を与える。
【００６７】
一方、プレビュー画面２００でキャンセルボタン２０２が押下された場合、第３記憶部６６から再集約画像１１４を消去し、分割再集約コピー処理を終える。
【００６８】
これにより、プリンタ１６Ｐにより画像が形成される前に、プレビュー画面２００で再集約画像のプレビュー画像２０１を確認し、再集約画像が小さく視認性が非常に悪いと判断した場合には、その処理を中止することが可能である。なお、上記では出力集約数が入力集約数よりも多い場合を説明したが、入力集約数よりも少ない場合には画質が荒くなるが、プレビュー画面２００でその画質を確認し、非常に荒いと判断した場合も中止が可能である。
【００６９】
（Ｓ１８）プリンタ１６Ｐは、これに応答して、表示制御部６７からの先頭アドレスに基づき、第３記憶部６６から再集約画像１１４を読出し、これに基づき再集約画像を出力原稿１５０に形成する。
【００７０】
図７は、プリンタ１６Ｐにより再集約画像が形成された出力原稿１５０の説明図である。
【００７１】
同図から、出力原稿１５０には、入力原稿５０に含まれていたノイズ画像５は取り除かれ、且つ、図１０に示すような従来の分割再集約コピーよりも、入力原稿５０に含まれていた各主部５３の視認性が向上していることが分かる。
【００７２】
本実施例１の構成によれば、入力画像１１０が分割された後の各頁画像１１１について周辺部５３を除いた画像を主画像１１２として抽出する抽出部６３と、各主画像１１２が縮小された縮小主画像１１３を再集約して、再集約画像１１４を生成する再集約部６５と、を備える。これにより、出力原稿１５０には、図７に示すような主部５２の画像のみを含んだ再集約画像が形成され、図９（ａ）や図４に示すような各頁画像５１の周辺部５３に存在する不必要なノイズ画像５は形成されなくなるので、出力原稿１５０の画像品質を向上させることが可能であるという効果を奏する。
【００７３】
また、分割再集約コピーの集約数が、入力原稿の集約数よりも多い場合に、各主画像１１２を、これらを含んだ頁画像１１１を図９（ａ）に示すようにそのまま縮小するよりも、図９（ｂ）に示すように大きな縮小率で縮小する変倍部６４をさらに備えるので、出力原稿１５０に形成される各主画像の視認性が良くなり、もって出力原稿１５０の画像品質を向上させることが可能であるという効果を奏する。
【００７４】
なお、上述した本発明の実施例１は、本発明の説明のための例示であり、本発明の範囲をそれらの実施例にのみ限定する趣旨ではない。本発明は、その要旨を逸脱することなしに、様々な変形が可能である。以下に、その変形の一部を例示する。
【００７５】
図３に示す周辺部除去幅情報指定部４２では、複数の頁画像に対して１種の周辺部除去幅しか指定できないが、頁画像毎に指定することができるようにしてもよい。
【００７６】
また、周辺部除去幅情報指定部４２では、幅ａ〜ｄを全て指定させるようにしているが、その一部のみを指定させ、他の値は指定された一部の値から算出決定するようにしてもよい。例えばa及びｃのみを指定させ、他のｂ及びｄは、ｂ＝ａ、ｄ＝ｃと決定することができる。
【００７７】
さらに、周辺部除去幅指定部４２が無くても、分割再集約コピーが実行され分割部６１で入力画像１１０が分割された後に、頁画像の画素数に基づき自動的にａ〜ｄを決定するようにしてもよい。
【００７８】
さらにまた、図３に示す分割再集約コピー設定画面３０で、入力原稿５０と出力原稿１５０の用紙サイズをそれぞれ指定することができるようにしてもよい。
【００７９】
また、図２、図３及び図６に示す各画面は、タッチパネル２０に表示される構成を説明したが、図８に示すように画像形成装置１０に通信回線３００を介して結合された情報処理装置５００の表示装置に表示されるような構成であってもよい。この場合、画像形成装置１０には、これらの表示用データを送信する送信手段を備える必要があるが、タッチパネル２０が無くても本発明を適用可能となる。なお、図３に示す設定画面３０だけは、画像形成装置１０に送信手段を備えなくとも、情報処理装置５００のプリンタドライバによって表示させることが可能である。
【００８０】
さらに、再集約部６５は、各縮小主画像１１３に基づき、再集約画像１１４を生成する場合を説明したが、変倍部６４が縮小する前の、各主画像１１２に基づいて生成するようにしてもよい。この場合、変倍部６４は、再集約画像１１４を出力原稿１５０に合わせて縮小する。
【００８１】
さらにまた、画像形成装置１０は、上述した構成要素以外の要素を含んでいてもよく、或いは、上記した構成要素のうちの一部が含まれていなくてもよい。
【図面の簡単な説明】
【００８２】
【図１】本発明の実施例１に係わる画像形成装置のハードウェア構成を示す概略ブロック図である。
【図２】操作パネルのハードウェア構成を示す平面図である。
【図３】図２に示すタッチパネルに表示される分割再集約コピー設定画面を示す平面図である。
【図４】本実施例１で用いる入力原稿の説明図である。
【図５】本発明の実施例１に係わる画像形成装置の機能ブロックを示す図である。
【図６】図２に示すタッチパネル上に表示されるプレビュー画面を示す平面図である。
【図７】本発明の分割再集約コピーが実行された後の、出力原稿の説明図である。
【図８】画像形成システムのハードウェア構成を示す概略図である。
【図９】（ａ）は、従来の縮小方法の説明図であり、（ｂ）は、本発明の縮小方法の説明図である。
【図１０】従来の分割再集約コピーの説明図である。
【符号の説明】
【００８３】
５  不必要な画像
１０  画像形成装置
１１  ＭＰＵ
１２  インタフェース
１３Ｅ１  ＥＥＰＲＯＭ
１３Ｅ２  ＥＥＰＲＯＭ
１３Ｄ  ＤＲＡＭ
１４  ＨＤＤ
１５  操作パネル
１６Ｓ  スキャナ
１６Ｐ  プリンタ
１７  画像メモリ
１８  圧縮・伸張ＡＳＩＣ
２０  タッチパネル
２１  テンキー
２２  スタートキー
２３  分割再集約コピー設定ボタン
３０  分割再集約コピー設定画面
３１  分割再集約コピー実行可否指定ボタン
３２  入力原稿側情報指定部
３３  出力原稿側情報指定部
３４  初期化ボタン
３５  設定ボタン
４０  入力集約数情報指定部
４１  入力レイアウト情報指定部
４１ａ  入力レイアウト確認部
４２  周辺部除去幅情報指定部
４２ａ  周辺部除去幅説明部
４３  出力集約数情報指定部
４４  出力レイアウト情報指定部
４４ａ  出力レイアウト確認部
５０  入力原稿
５１  頁画像
５２  主部
５３  周辺部
６０  第１記憶部
６１  分割部
６２  第２記憶部
６３  抽出部
６４  変倍部
６５  再集約部
６６  第３記憶部
６７  表示制御部
１００  分割再集約コピー実行可否情報
１０１  入力集約数情報
１０２  入力レイアウト情報
１０３  除去幅情報
１０４  出力集約数情報
１０５  出力レイアウト情報
１１０  入力画像
１１１  頁画像
１１２  主画像
１１３  縮小主画像
１１４  再集約画像
１５０  出力原稿
２００  プレビュー画面
２０１  プレビュー画像
２０２  キャンセルボタン
２０３  ＯＫボタン
３００  通信回線
５００  情報処理装置
【図１】
0004914402.tif 000002
【図２】
0004914402.tif 000003
【図３】
0004914402.tif 000004
【図４】
0004914402.tif 000005
【図５】
0004914402.tif 000006
【図６】
0004914402.tif 000007
【図７】
0004914402.tif 000008
【図８】
0004914402.tif 000009
【図９】
0004914402.tif 000010
【図１０】
0004914402.tif 000011